(57)【要約】【課題】  通常フルキーボードを、左右に分割して、縦方向に並べて、片手操作の時の手を動かす範囲を狭くして  無駄な動きを減らし、片手で打鍵操作できる片手用キーボードにある。【解決手段】  通常フルキーボードに対して、ＱＷＥＲＴＹ配列の数字及び文字キー部の７、Ｙ、Ｈ、Ｎの列より右半分部分と、ＱＷＥＲＴＹ配列の数字及び文字キー部の６、Ｔ、Ｇ、Ｂの列より左半分部分と、に分割して、右半分部分を上に、左半分部分を下に配置し、数字及び文字キー以外の機能キーを周りの、上から２行と最左列と最下行と最右列とに配置する。【選択図】      図１
2005174194.tif 000002
【特許請求の範囲】
【請求項１】
片手用キーボードにおいて、
フルキーボードを右半分と左半分とに分割して上下に配置し、打鍵する手の横方向移動範囲を狭くして片手用にしたことを特徴とする片手用キーボード。
【請求項２】
前記片手用キーボードは、
前記フルキーボードに対して、ＱＷＥＲＴＹ配列の数字及び文字キー部の７、Ｙ、Ｈ、Ｎの列より右半分部分と、
ＱＷＥＲＴＹ配列の数字及び文字キー部の６、Ｔ、Ｇ、Ｂの列より左半分部分と、
に分割して、前記右半分部分を上に、前記左半分部分を下に配置し、前記数字及び文字キー以外の全機能キーを前記配置の周りの上から２行と最左列と最下行と最右列とに配列することを特徴とする請求項１記載の片手用キーボード。
【請求項３】
前記片手用キーボードは、
前記フルキーボードが備える全てのキーを備えるキーボードに対して、ＱＷＥＲＴＹ配列の数字及び文字キー部の７、Ｙ、Ｈ、Ｎより右半分部分と、
ＱＷＥＲＴＹ配列の数字及び文字キー部の６、Ｔ、Ｇ、Ｂより左半分部分と、
に分割して、前記左半分部分を上に、前記右半分部分を下に配置し、前記数字及び文字キー以外の全機能キーを前記配置の周辺の上からの２行と最左列と下の１行と最右列とに配列することを特徴とする請求項１記載の片手用キーボード。
【請求項４】
前記片手用キーボードは、
左半分部分のポジションマークを示す１点突起を文字キーのＳ及びＦのキートップに、
右半分部分のポジションマークを示す２点突起を文字キーのＪ及びＬのキートップに、
それぞれ備えることを特徴とする請求項２及び請求項３記載の片手用キーボード。
【請求項５】
前記片手用キーボードは、
前記フルキーボードのキートップを前記左半分部分を示す第１の色と、前記右半分部分を示す第２の色と、にそれぞれ色分けすることを特徴とする請求項２及び請求項３記載の片手用キーボード。
【請求項６】
前記キートップは、
キートップ上面を、数字及び文字キーは凹面に、ファンクションキーＦ１からＦ１２までを平面に、他の機能キーを凸面に、して触覚で識別できることを特徴とする請求項５記載の片手用キーボード。
【発明の詳細な説明】
【技術分野】
【０００１】
この発明は、キーボードの形状に関し、特に、標準ＪＩＳ型フルキーボードなどの通常フルキーボードを左右に分割して、上下に配置し、打鍵する手の横移動範囲を狭くして、片手打鍵に便利な片手用キーボードに関する。
【背景技術】
【０００２】
通常フルキーボードは横方向に長く、片手で打鍵するに適していない。そこで、キーボードを小型にする工夫が種種なされている。例えば、キーにＪＩＳ標準のキーと異なる機能のキーを設けてキーの数を減らし、主キーと制御キーの組み合わせによって日本語をローマ字入力する。これによると、片手で操作するに便利な小型化は実現するが、通常用いているフルキーボードと異なる打鍵法を習得すること、フルキーボードのキー機能が全て実現するには打鍵操作が複雑になること、が問題である（例えば、特許文献１）。
【０００３】
更に、片手で把持して、空いた手で打鍵する情報携帯装置用キーボードで、文字キーの配列を、通常フルキーボードの文字配列を左右に半分に分割し、交互に行を入り込ませて、配列する例がある。これによると、文字コードの配列は、使い慣れた通常キーボードの配列に類似するので、使い易さが保たれている。しかし、フルキーボードの全キーの機能を実現することが考慮されていない（例えば、特許文献２）。
【０００４】
【特許文献１】特開平６−１０２９７９号公報（段落００１４）
【特許文献２】特開２００３−２９９０４号公報（段落００１５、００１８）
【発明の開示】
【発明が解決しようとする課題】
【０００５】
フルキーボードを片手で操作できると、便利なことは日常のデータ入力作業で経験するところである。左手で伝票を繰り、右手で打鍵する、あるいは左手で打鍵し、右手でメモするなど、左右の手を別々の使い方をする場面は、しばしばあることである。また、負傷したり、電話中など何らかの理由で、片手しか使えない事態もある。片手用キーボードの例は多くあるが、それの多くはキーの数を減らすため、機能を限定する、あるいはキーを組み合わせて打鍵するなど、習熟した通常のキーボードとは異なる打鍵法を新たに習得しないと、使いこなすことができない。しかし、日常的に使用し、習熟している通常フルキーボードを片手用に使うには、手の横方向の移動が大きく、非常に使いづらい。
【０００６】
そこで、横に長い通常キーボードを中央で分断して縦長にすることで、文字入力に使用するキーがコンパクトにまとまり、片手での入力を容易に行うことができる。しかし、両手でキーボードを操作するときに比べて手の移動範囲が少し広くなることはやむ得ない。しかし、手の移動範囲が広がることによってポジションがわからなくなるのを防ぐため、ポジションマークを複数個用意する。また、ＱＷＥＲＴＹ配列を元にした配置を崩さないようにすることで、通常フルキーボードとの配列の類似性を持たせ、通常フルキーボードに対する習熟を生かせるようにして、タイピングの効率化を図る。
【０００７】
この発明の目的は、通常フルキーボードを、左右に分割して、縦方向に並べて、片手操作の時の手を動かす範囲を狭くして  無駄な動きを減らし、タイピングの効率化を図ることにある。
【０００８】
更に他の目的は、習熟した通常フルキーボードの打鍵法を変えないで使用できる片手用キーボードを実現することである。
【０００９】
更に、他の目的は、左手部と右手部のキー配列を変えないことによって、通常フルキーボードに対する習熟度を生かすことにある。
【課題を解決するための手段】
【００１０】
そのため、この発明の、片手用キーボードにおいて、フルキーボードを右半分と左半分とに分割して上下に配置し、打鍵する手の横方向移動範囲を狭くして片手用にしたことを特徴とする。
【００１１】
更に、前記片手用キーボードは、前記フルキーボードに対して、ＱＷＥＲＴＹ配列の数字及び文字キー部の７、Ｙ、Ｈ、Ｎの列より右半分部分と、ＱＷＥＲＴＹ配列の数字及び文字キー部の６、Ｔ、Ｇ、Ｂの列より左半分部分と、に分割して、前記右半分部分を上に、前記左半分部分を下に配置し、前記数字及び文字キー以外の全機能キーを前記配置の周りの上から２行と最左列と最下行と最右列とに配列することを特徴とする。
【００１２】
更に、前記片手用キーボードは、前記フルキーボードが備える全てのキーを備えるキーボードに対して、ＱＷＥＲＴＹ配列の数字及び文字キー部の７、Ｙ、Ｈ、Ｎより右半分部分と、ＱＷＥＲＴＹ配列の数字及び文字キー部の６、Ｔ、Ｇ、Ｂより左半分部分と、に分割して、前記左半分部分を上に、前記右半分部分を下に配置し、前記数字及び文字キー以外の全機能キーを前記配置の周辺の上からの２行と最左列と下の１行と最右列とに配列することを特徴とする。
【００１３】
更に、前記片手用キーボードは、左半分部分のポジションマークを示す１点突起を文字キーのＳ及びＦのキートップに、右半分部分のポジションマークを示す２点突起を文字キーのＪ及びＬのキートップに、それぞれ備えることを特徴とする。
【００１４】
更に、前記片手用キーボードは、前記フルキーボードのキートップを前記左半分部分を示す第１の色と、前記右半分部分を示す第２の色と、にそれぞれ色分けすることを特徴とする。
【００１５】
更に、前記キートップは、キートップ上面を、数字及び文字キーは凹面に、ファンクションキーＦ１からＦ１２までを平面に、他の機能キーを凸面に、して触覚で識別できることを特徴とする。
【発明の効果】
【００１６】
この発明の効果は、通常フルキーボードに同等なキーボードを片手で打鍵操作できることである。その理由は、横長の通常フルキーボードを、左右に分割して、縦方向に並べて、片手操作の時の手を動かす範囲を狭くして  無駄な動きを減らす配列にしたからである。
【００１７】
更に、他の効果は、通常フルキーボードの全キー機能が利用できることである。その理由は、通常フルキーボードのキー配列を２分して縦方向に配置し、キー機能は変更されていないからである。
【００１８】
更に、他の効果は、通常フルキーボードで習熟を生かすことができることである。その理由は、左手部と右手部のキー配列を変更せず、ポジションマークやキートップの色や形状でキーの識別ができるからである。
【発明を実施するための最良の形態】
【００１９】
この発明の実施のための最良の形態について、図面を参照して説明する。実施の一形態を示す図１を参照すると、片手用キーボード１のキー配列は、フルキーボードの左手部を上に、右手部を下に配置し、Ｅｎｔｅｒキーと、Ｓｈｉｆｔキーと、Ｓｐａｃｅキーと、Ｔａｂキーと、は通常の文字キーより大きく、通常フルキーボードにおける、これらキーの形状に同じ形にしている。
【００２０】
個々のキー配列を見ると、通常フルキーボードの最上行のＥＳＣキーからＦ８キーまでを第１行に左から配列する。通常フルキーボードのＦ９からＰａｇｅＵｐまでを片手用キーボードの第２行に配列する。
【００２１】
次に、通常フルキーボードの第２行の半角／全角キーから数字６のキーまでと、ＢａｃｋＳｐａｃｅキーと、ＰａｇｅＤｏｗｎキーと、を片手用キーボードの第３行に配列する。通常フルキーボードの第３行のＴａｂキーと、ＱキーからＴキーまでと、Ｅｎｔｅｒの大型キーと、Ｈｏｍｅキーと、を片手用キーボードの第４行に配列する。通常フルキーボードの第４行に当たるＣａｐｓＬｏｃｋキーからＧキーまでと、Ｅｎｔｅｒの大型キーと、Ｅｎｄキーと、を第５行に配列する。通常フルキーボードの第５行に当たるＳｈｉｆｔキーと、ＺキーからＢキーまでと、Ｓｈｉｆｔキーと、を片手用キーボードの第６行に配列する。
【００２２】
次に、通常フルキーボードの第２行のＣｔｒｌキーと、数字７キーから０キーまでと、ほキーと、へキーと、￥キーと、Ｃｔｒｌキーと、を片手用キーボードの第７行に配列する。通常フルキーボードの第３行のＡｌｔキーと、ＹキーからＰキーまでと、｀キーと、｛キーと、Ａｌｔキーと、を片手用キーボードの第８行に配列する。通常フルキーボードの第４行のＳｈｉｆｔキーと、ＨキーからＬキーまでと、＋キーと、＊キーと、｝キーと、Ｓｈｉｆｔキーと、を片手用キーボードの第９行に配列する。通常フルキーボードの第５行のウィンドウズ（登録商標）マークと、Ｎキーと、Ｍキーと、＜キーと、＞キーと、？キーと、＿キーと、↑キーと、Ｆｎキーと、を片手用キーボードの第１０行に配列する。通常フルキーボードの第１１行の無変換キーと、Ｓｐａｃキーと、前候補キーと、カタカナキーと、←キーと、↓キーと、→キーと、を片手キーボードの第１１行に配列する。
【００２３】
ポジションマークを付すキーを示す図２を参照すると、ポジションマーク２は片手用キーボードの第５行のＳキーと、Ｆキーとに、１点マークを、第９行のＪキーと、Ｌキーとに、２点マークを付してポジションを示し、ブラインドタッチで入力操作することを容易にする。
【００２４】
次に、片手用キーボードの第３行から第６行までの数字及び文字キーと、第７行から第１０行までの数字及び文字キーを配列を保って、入れ替えても、片手用キーボードとしての目的、効果、機能は同じであることは明らかである。
【産業上の利用可能性】
【００２５】
通常キーボードと同様、片手用キーボードを机上などに置いて、右手と左手とを別の操作を使い方、あるいは、片手が使えない場合に、データ入力作業に適用できる。
【図面の簡単な説明】
【００２６】
【図１】この発明の片手用キーボードのキー配列を示す図である。
【図２】図１におけるポジションマークを示す図である。
【符号の説明】
【００２７】
１    片手用キーボード
２    ポジションマーク
【図１】
2005174194.tif 000003
【図２】
2005174194.tif 000004